(57)【特許請求の範囲】
【請求項１】
一般的な靴、又は踵部が歪んだり踏み潰された靴の踵部の外周面に取り付けて使用される靴べら用補助部材であって、
該靴べら用補助部材は、概ね円形状に形成され中央部に小孔を有する本体部と、
該本体部の一部に一連に形成された所要幅の延出部または突出部に取り付けられ特殊靴べらのフック部が係止するフレーム状またはリング状の係止部材とからなり、
前記小孔を介して取付部材及び接着剤又は接着剤により靴の踵部の外周面に取り付けられること
を特徴とする靴べら用補助部材。
【請求項２】
前記本体部は、皮革材で形成され、
前記係止部材は、金属で形成されていること
を特徴とする請求項１に記載の靴べら用補助部材。
【発明の詳細な説明】
【技術分野】
【０００１】  本発明は、例えば、高齢者が使用する革靴やスニーカーなどに取り付けられ、特に、踵が歪になったり踏み潰された踵の外周面に取り付けて使用される靴べら用補助部材に関するものである。
【背景技術】
【０００２】  一般に革靴やスニーカーなどにおいて、長期に使用していると、靴べら無しで履いたりしなければならない機会が屡々あって、踵部分側の履き口が歪になったり、或いは、踵部分が踏み潰されて自立（起立）できない状態に癖付けされ、その後に一般的な通常の携帯用靴べら又は長尺の靴べらを使用しても、特に高齢者においては、歪になった又は潰された履き口に靴べらを合わせることが難しく、靴を履く動作がし難いという現実がある。【０００３】  このような現実を解消すべく、本願と同一出願人によって、携帯用の特殊靴べらを開発して提供した（特許第５２８１１８４号公報）。この特殊靴べらは、線材で形成された本体部とその後端部側に設けられた把持補助部とから構成されているため、細身で軽量であるから携帯に便利であると共に、本体部と把持補助部とを安定した状態で持つ（掴む）ことができ、先端部側のフック部をシューズの踵に引っ掛けて後方に引くことによって、シューズの踵を起立状態に維持して履き口を広く保ち、且つ、フック部形成の折り曲げ部分を曲面に形成することで履く操作が容易に行えるので、特に、高齢者でも、この動作が簡単に行えるので、革靴のみならずスニーカーのようなソフトなシューズでも簡単に履くことができる、というものである。【０００４】  しかしながら、このような特殊靴べらでも、高齢者が、踵部分が歪になったり踏み潰されたりした革靴又はスニーカーに対して適用するには、一抹の不安があり、特殊靴べらの使用に際して靴側にも改良すべき点がある。
【先行技術文献】
【０００５】  ところで、一般的な靴べら又は特殊な靴べらの使用が有利になるような、高齢者が利用する靴、又は踵部が歪になったり踏み潰されたりした踵部を改良するような案件については、特許文献にも非特許文献にも見当たらない。
【発明の概要】
【発明が解決しようとする課題】
【０００６】  一般的に、高齢者が使用される靴、または長期使用によって踵部が歪になったり踏み潰されたりした革靴又はスニーカーにおいて、高齢者であっても、前記特殊靴べらが有利に使用できるようにすることに解決課題を有している。【０００７】  従って、前記公知の一般的な靴べらではなく、前記携帯用の特殊靴べらを使用して、高齢者でも、一般的な靴、又は踵部が歪んだり踏み潰された革靴又はスニーカー等を容易に履くことができるようにするための、靴の踵部に取り付けて使用される靴べら用補助部材を提供することを目的とする。
【課題を解決するための手段】
【０００８】  本発明は、前記目的を達成する具体的手段として、一般的な靴、又は踵部が歪んだり踏み潰された靴の踵部の外周面に取り付けて使用される靴べら用補助部材であって、該靴べら用補助部材は、概ね円形状に形成され中央部に小孔を有する本体部と、該本体部の一部に一連に形成された所要幅の延出部または突出部に取り付けられ特殊靴べらのフック部が係止するフレーム状またはリング状の係止部材とからなり、前記小孔を介して取付部材及び接着剤又は接着剤により靴の踵部の外周面に取り付けられることを特徴とする靴べら用補助部材を提供するものである。【０００９】  前記発明において、前記本体部は、皮革材で形成され、前記係止部材は、金属で形成されていること、を付加的な要件として含むものである。
【発明の効果】
【００１０】  本発明に係る靴の踵部の外周面に取り付けられた靴べら用補助部材によれば、高齢者が履き慣れている革靴やスニーカーなどの靴で、踵が踏み潰されているかいないかを問わず、靴の踵部の外周面に取り付けて使用するものであり、しかも、靴べらとしては一般的なものではなく、フック部を有する特殊な靴べらを使用するものであって、フック部を係止部材に係止又は引っ掛けて履き口を拡げることにより、スムーズに靴を履くことができるのであり、また、その特殊靴べらの取扱店において、靴べら用補助部材を靴の踵部に簡単に取り付けられるので、高齢者や身障者のみならず、広く一般に利用できるという優れた効果を奏する。
【図面の簡単な説明】
【００１１】
【図１】本発明の好ましい実施の形態に係る踵部に取り付けて使用される靴べら用補助部材を示した斜視図である。
【図２】同実施の形態に係る靴べら用補助部材を踵部に取り付けた状態の要部のみを示す背面側の斜視図である。
【図３】同実施の形態に係る靴べら用補助部材が取り付けられた靴を、特殊靴べらを用いて履く状態を示した側面図である。
【発明を実施するための形態】
【００１２】  本発明の好ましい実施の形態に係る靴べら用補助部材について、図面を参照して説明する。まず、図１において、靴べら用補助部材１は、比較的硬質の皮革材を用いて所要大きさの本体部２を概ね円形状に形成すると共に、該本体部２の一部（上部となる位置）に所要幅の延出部または突出部３を一連に形成し、該突出部３にフレーム状またはリング状の係止部材４を取り付け、前記本体部２の略中央部に取付用の小孔５が設けられており、この小孔５を介して、例えば、鳩目等の取付部材６を挿着し、該取付部材６を対象物（靴の踵部）に加締めることにより、本体部２が対象物に一体的に取り付けられる。なお、皮革材としては比較的硬質のものであって、天然または人工のものが使用可能である。
【００１３】  靴べら用補助部材１の本体部２は、概ね円形状に形成してあるが、これに限定されず、全体として少し幅広の長方形に形成しても良いし、要するに、取り付けるための幅や広さがあれば良いので，その形状は舌状又は楕円形等の種々の形状に形成しても良い。そして、係止部材４が取り付けられる突出部３は少し長めに形成し、例えば、金属製の係止部材４の一側端部を内側に巻き込んで逢着７することによって係止部材４が首振り可能状態に連結される。なお、係止部材４は金具とは限らず、例えば、プラスチック製であっても良い。
【００１４】  本体部２が取り付けられる対象物というのは、図２に示したように、例えば、高齢者が履き慣れた革靴等であって、靴８の踵部９の外周面に本体部２を取り付けるのである。この場合に、本体部２の取り付け位置を適正な位置にするため、靴８の踵部９に本体部２を当て合って小孔５から筆記具で踵部９に印を付け、その印に沿って踵部９に同様の小孔を開け、取付部材６である鳩目等を挿着して加締めることにより本体部２、即ち、靴べら用補助部材１が靴８の踵部９に強固に取り付けられるのである。このような作業は、靴の販売店で行えるので、図１に示した靴べら用補助部材１と鳩目等の取付部材６とをセットにして、且つ、前記特殊靴べらの取扱店において販売することができる。なお、符号１０は履き口である。
【００１５】  また、靴べら用補助部材１を靴８の踵部９に取り付ける場合に、前記鳩目等の取付部材６による加締め手段の他に、例えば、接着剤による貼り付け手段等も考えられる。この場合に使用される接着剤は、要するに、ドライラミネート接着剤であって、例えば、電線被覆のＰＥＴ／／ＡＬや、耐熱性が要求される工業用部材に使用されている東洋モートン株式会社製の「ＴＭ−２２５Ａ／Ｂ」若しくは、ＰＥＴ／／ＡＬのエンボス加工、ハイレトルト（１３０℃）用パウチなどに使用されている三井化学株式会社製の「タケラックＡ−３１０」のいずれかであり、これらは強固な接着性能と耐久性を有するものであり、皮革製品の接着にも用いることができるし、前記取付部材の加締め手段と併用することもできるのである。
【００１６】  また、靴べら用補助部材１が取り付けられる靴としては、踵が踏み潰された革靴だけとは限らず、踵が踏み潰されていない革靴やスニーカー等であって、要するに高齢者が利用する全ての靴を対象とするものであって、靴べら用補助部材１が取り付けられていることによって、後期高齢者も含めて、高齢者による特殊靴べらの使い勝手が広がるのである。
【００１７】  このように踵部９に靴べら用補助部材１を取り付けた靴８を履く際には、図３に示したように、前記した特殊靴べら１１を使用する。この特殊靴べら１１は、剛性の高いステンレス線材で本体１２を形成し、該本体１２の先端側を折り曲げてフック部１３を形成し、後端側の把持部１４に皮革で形成した把持補助部１５を取り付けたものであって、本体１２の把持部１４を手で握って先端側のフック部１３を係止部材４に係止又は引っ掛け、履き口１０に足の爪先側を入れた状態で特殊靴べら１１を後方に引きながら、無理なく履き口１０から足の踵を滑り込ませてスムーズに靴を履くことができるのである。
【００１８】  また、踵部が踏み潰された靴の場合には、甲部側は潰されていないのであるから、まず、踵部に取り付けられている靴べら用補助部材１の係止部材４に特殊靴べら１１のフック部１３を係止又は引っ掛け、潰されていない甲部側の履き口１０に足の爪先を挿着して靴を押さえ、特殊靴べら１１を後方に引くことにより潰されていた踵部分が起立するようになり（図３の状態）、そのまま履き口１０から爪先側を甲部側に滑り込ませると共に踵側も滑り込ませることができるのである。要するに、特殊靴べら１１のフック部１３を係止部材４に係止又は引っ掛け、靴を履こうとする足の爪先側で履き口１０の底を押さえた状態で、特殊靴べら１１を後方に引けば履き口１０が開くようになり、そのまま爪先側から履き口１０に滑り込ませるようにすることで、靴を履くことができるのである。
【産業上の利用可能性】
【００１９】  本発明に係る靴べら用補助部材１は、靴８の踵部９の外周面に取り付けて使用されるものであって、概ね円形状に形成され中央部に取付用の小孔５を有する本体部２と、該本体部２の一側に取り付けられ特殊靴べら１１のフック部１３が係止するフレーム状またはリング状の係止部材４とからなり、前記小孔５を介して鳩目等の取付部材６及び／又は接着剤により靴８の踵部９の外周面に取り付けられるものであり、高齢者が履き慣れている革靴やスニーカーなどの靴で、踵が踏み潰されているかいないかを問わず、靴の踵部の外周面に取り付けて使用するものであり、しかも、靴べらとしては一般的なものではなく、フック部を有する特殊な靴べらを使用するものであって、その特殊靴べらの取扱店において、靴べら用補助部材１と鳩目等の取付部材６とをセットにして販売すれば、その取扱店で靴の踵部に靴べら用補助部材１を簡単に取り付けられるので、高齢者や身障者のみならず、広く一般に利用できるのである。
【符号の説明】
【００２０】１  靴べら用補助部材
２  本体部
３  延出部または突出部
４  係止部材
５  取付用の小孔
６  取付部材
７  逢着
８  靴
９  踵部
１０  履き口
１１  特殊靴べら
１２  本体
１３  フック部
１４  把持部
１５  把持補助部
【要約】      （修正有）【課題】高齢者でも、携帯用の特殊靴べらを使用して、一般的な靴、又は踵部が歪んだり踏み潰された革靴又はスニーカー等を容易に履くことができるようにするための、靴の踵部に取り付けて使用される靴べら用補助部材を提供する。【解決手段】靴の踵部の外周面に取り付けて使用される靴べら用補助部材１であって、概ね円形状に形成され中央部に小孔５を有する本体部２と、本体部２の一側に取り付けられ特殊靴べらのフック部が係止するフレーム状またはリング状の係止部材４とからなり、小孔５を介して取付部材及び／又は接着剤により靴の踵部の外周面に取り付ける。踵が踏み潰されているかいないかを問わず、靴の踵部の外周面に取り付けて使用する。靴べらはフック部を有する特殊な靴べらを使用するものであって、フック部を係止部材４に係止又は引っ掛けて履き口を拡げることにより、スムーズに靴を履くことができる。【選択図】図１【図１】
0005947429.tif 000002
【図２】
0005947429.tif 000003
【図３】
0005947429.tif 000004